(57)【要約】【課題】陰極端子の抵抗値のバラツキを低減することによって、発光輝度のバラツキを抑制できる有機ＥＬパネルを提供する。【解決手段】ドットマトリクス型の有機ＥＬパネル３１は、基板３２と、有機ＥＬ素子３９と、陰極端子４０ａ〜４０ｄと、を有する。有機ＥＬ素子３９は、ストライプ状の第一電極３４と、絶縁層３５，４５と、有機層３６と、第二電極３７ａ〜３７ｄとを有し、基板３２に積層形成されている。陰極端子４０ａ〜４０ｄは、第二電極３７ａ〜３７ｄに接続される。陰極端子４０ａ〜４０ｄは、第一電極３４に平行な直線形状に形成され、絶縁層３５，４５に設けられたコンタクトホール３５ａ〜３５ｄで第二電極３７ａ〜３７ｄと電気的に接続される。【選択図】  図１
2004355936.tif 000002
【特許請求の範囲】
【請求項１】
基板と、ストライプ状の第一電極と絶縁層と有機層と第二電極とを有し前記基板に積層形成された有機ＥＬ素子と、前記第二電極に接続された陰極端子と、を有するドットマトリクス型の有機ＥＬパネルであって、
前記陰極端子は、前記第一電極に平行な直線形状に形成され、前記絶縁層に設けられたコンタクトホールで前記第二電極と電気的に接続されていることを特徴とする有機ＥＬパネル。
【請求項２】
ストライプ状に形成された第一電極と、前記第一電極と直交する方向のストライプ状に形成された第二電極と、前記第一電極と前記第二電極の間に形成された有機層と、前記第一電極に平行な直線形状に形成された陰極端子と、前記陰極端子と前記第二電極を電気的に接続させるコンタクトホールを有する絶縁層と、を有する積層体を基板に積層形成してなることを特徴とする有機ＥＬパネル。
【請求項３】
前記陰極端子と前記第一電極は、同じ材料からなることを特徴とする請求項１または請求項２に記載の有機ＥＬパネル。
【発明の詳細な説明】
【０００１】
【発明の属する技術分野】
本発明は、第一電極と第二電極の間に少なくとも発光層を有する有機層を挟持した有機ＥＬ素子を基板に形成した有機ＥＬパネルに関するものであり、特にマトリクス状に配置された発光部を有する有機ＥＬパネルに関するものである。
【０００２】
【従来の技術】
従来より、有機ＥＬパネルが種々提案されており、例えば特許文献１に開示されている。有機ＥＬパネル１は、ガラス基板２上に積層体３を形成したものであり、この積層体３は、透明電極４，絶縁層５，有機層６及び背面電極７からなる有機ＥＬ素子８と、陰極端子９とを有している（図６参照）。
【０００３】
有機層６は正孔注入層，正孔輸送層，発光層及び電子輸送層からなるものであり、透明電極４と背面電極７に挟持されている。背面電極７は陰極端子９に導通しており、透明電極４と陰極端子７に電源を接続することにより発光部Ｐが光輝する。積層体３は封止ガラス１０に覆われており、この封止ガラス１０はガラス基板２に接着剤１１により接着されている。
【０００４】
【特許文献１】
特開２００１−２６７０６６号公報
【０００５】
図７は、発光部をマトリクス状に配置したドットマトリクス型の有機ＥＬパネル２１を示すものである。有機ＥＬパネル２１は、ガラス基板２２上に積層体２３を形成したものである。積層体２３は、透明電極２４，有機層２６及び背面電極２７ａ〜２７ｅからなる有機ＥＬ素子２８と、陰極端子２９ａ〜２９ｅとを有している。
【０００６】
透明電極２４は、縦方向のストライプ状に形成されており、背面電極２７ａ〜２７ｅは、透明電極２４に直交する方向（即ち、横方向）のストライプ状に形成されている。陰極端子２９ａ〜２９ｅは、陰極端子２９ａが小さく、陰極端子２９ｅが大きくなるように、順次大きさが異なる略円弧状に形成されている。つまり、陰極端子２９ｅが最も長く、陰極端子２９ａが最も短い。陰極端子２９ａ〜２９ｅは、夫々背面電極２７ａ〜２７ｅと電気的に接続されている。有機ＥＬパネル２１の透明電極２４及び陰極端子２９ａ〜２９ｅは、可撓性配線板（ＦＰＣ）等の配線部材３０を介して図示しない駆動回路に接続される。
【０００７】
上述した有機ＥＬパネル２１のように、透明電極２４及び陰極端子２９ａ〜２９ｅを基板２２の一辺に引き回すことによって、１個の配線部材３０で透明電極２４及び陰極端子２９ａ〜２９ｅを駆動回路に接続できる利点を有している。
【０００８】
【発明が解決しようとする課題】
しかしながら、各陰極端子２９ａ〜２９ｅの抵抗値が夫々異なるため、発光部の発光輝度にバラツキが生じるという問題があった。例えば、陰極端子２９ｅは、陰極端子２９ａよりも長いため抵抗値が高く、背面電極２７ｅに印加される駆動電圧が背面電極２７ａよりも低いため、背面電極２７ｅに対応する上側の発光部は、背面電極２７ａに対応する下側の発光部よりも発光輝度が低い。
【０００９】
本発明は、この問題に鑑みなされたものであり、陰極端子の抵抗値のバラツキを低減することによって、発光輝度のバラツキを抑制できる有機ＥＬパネルを提供するものである。
【００１０】
【課題を解決するための手段】
本発明は、前記課題を解決するため、請求項１に記載したように、基板３２と、ストライプ状の第一電極３４と絶縁層３５，４５と有機層３６と第二電極３７ａ〜３７ｄとを有し前記基板３２に積層形成された有機ＥＬ素子３９と、前記第二電極３７ａ〜３７ｄに接続された陰極端子４０ａ〜４０ｄと、を有するドットマトリクス型の有機ＥＬパネル３１，４１であって、前記陰極端子４０ａ〜４０ｄは、前記第一電極３４に平行な直線形状に形成され、前記絶縁層３５，４５に設けられたコンタクトホール３５ａ〜３５ｄ，４５ａ〜４５ｄで前記第二電極３７ａ〜３７ｄと電気的に接続されているものである。
【００１１】
また、本発明は、請求項２に記載したように、ストライプ状に形成された第一電極３４と、前記第一電極３４と直交する方向のストライプ状に形成された第二電極３７ａ〜３７ｄと、前記第一電極３４と前記第二電極３７ａ〜３７ｄの間に形成された有機層３６と、前記第一電極３４に平行な直線形状に形成された陰極端子４０ａ〜４０ｄと、前記陰極端子４０ａ〜４０ｄと前記第二電極３７ａ〜３７ｄを電気的に接続させるコンタクトホール３５ａ〜３５ｄ，４５ａ〜４５ｄを有する絶縁層３５，４５と、を有する積層体３３を基板３２に積層形成してなるものである。
【００１２】
また、本発明は、請求項３に記載したように、前記陰極端子４０ａ〜４０ｄと前記第一電極３４は、同じ材料からなるものである。
【００１３】
【発明の実施の形態】
以下、本発明の一実施形態を添付の図面に基づいて説明する。図１乃至図４は第一実施形態を示すものである。
【００１４】
有機ＥＬパネル３１は、ガラス基板３２上に積層体３３を形成したものである。積層体３３は、透明電極３４，絶縁層３５，有機層３６，背面電極及びリブ部３８を有する有機ＥＬ素子３９と、陰極端子４０ａ〜４０ｄとを有している。
【００１５】
透明電極３４は、酸化インジウム（Ｉｎ２Ｏ３）と酸化スズ（ＳｎＯ２）の混合物であるＩＴＯ（Ｉｎｄｉｕｍ  Ｔｉｎ  Ｏｘｉｄｅ）からなるものであり、スパッタリング或いは蒸着等の手段によって形成されている。透明電極３４は、所定間隔をあけて配置された縦方向のストライプ状になっている。絶縁層３５は、ポリイミド系の絶縁材料からなるものであり、フォトリソグラフィー法等の手段によって形成されている。絶縁層３５には、陰極端子４０ａ〜４０ｄを背面電極３７ａ〜３７ｄに夫々導通させるためのコンタクトホール３５ａ〜３５ｄと、マトリクス状に配置された発光部に対応する矩形の開口３５ｅとが形成されている。
【００１６】
有機層３６は、正孔注入層３６ａ，正孔輸送層３６ｂ，発光層３６ｃ及び電子輸送層３６ｄからなるものである（図４参照）。なお、有機層３６は、少なくとも発光層２６ｃがあれば良いが、本実施形態のように正孔注入層２６ａ，正孔輸送層２６ｂ及び電子輸送層２６ｄを設けることにより、発光輝度を向上させることができる。背面電極３７ａ〜３７ｄは、アルミニウム（Ａｌ）からなるものであり、透明電極３４に直交する方向、即ち横方向のストライプ状になっている。
【００１７】
リブ部３８は、フェノール系の絶縁材料からなるものであり、フォトリソグラフィー法等の手段によって形成されている。リブ部３８は、絶縁層３５上に形成されており、逆テーパ形状になっている。リブ部３８は、透明電極３４と直交する方向に平行線状に設けられている。なお、背面電極３７ａ〜３７ｄは、蒸着等の方法によって、絶縁層３４，有機層３６及びリブ部３８の上に形成されるものであるが、本実施形態において「背面電極」とは、リブ部３８によって分断され、有機層３６上に形成されたものを示している。
【００１８】
陰極端子４０ａ〜４０ｄは、ＩＴＯからなるものであり、透明電極２４に平行な、所定幅を有する直線状に形成されている。陰極端子４０ａ〜４０ｄは、絶縁層３５のコンタクトホールで、夫々背面電極３７ａ〜３７ｄに電気的に各々接続されている。例えば、透明電極３４に近い陰極端子４０ａが上側の背面電極３７ａに導通し、透明電極３４から遠い陰極端子４０ｄが下側の背面電極３７ｄに導通している。
【００１９】
本実施形態は、陰極端子円４０ａ〜４０ｄを直線状に設けたことにより、弧状に陰極端子を形成した場合と比較して、陰極端子４０ａ〜４０ｄの長さの違いが小さく、各陰極端子４０ａ〜４０ｄの抵抗値の差が小さいため、各発光部の発光輝度のバラツキが小さい。なお、コンタクトホール３５ａ〜３５ｄから発光部までの長さは、各背面電極３７ａ〜３７ｄで異なるが、背面電極３７ａ〜３７ｄの電気抵抗は、陰極端子４０ａ〜４０ｄと比較すると充分に小さいため、発光輝度には影響しない。
【００２０】
なお、陰極端子４０ａ〜４０ｄは、クロム（Ｃｒ）等の導電性材料からなるものであっても良いが、本実施形態のように透明電極３４と同じ材料からなるものであれば、陰極端子４０ａ〜４０ｄを透明電極３４と同時に形成することが可能である。また、図５に示す第二実施形態のように、透明電極３４に近い陰極端子５０ａが下側の背面電極３７ａに導通し、透明電極３４から遠い陰極端子５０ｄが上側の背面電極３７ｄに導通するように構成しても良い。
【００２１】
【発明の効果】
本発明は、基板と、ストライプ状の第一電極と絶縁層と有機層と第二電極とを有し前記基板に積層形成された有機ＥＬ素子と、前記第二電極に接続された陰極端子と、を有するドットマトリクス型の有機ＥＬパネルであって、前記陰極端子は、前記第一電極に平行な直線形状に形成され、前記絶縁層に設けられたコンタクトホールで前記第二電極と電気的に接続されているものであり、各陰極端子の電気抵抗の差が小さいため、各発光部の発光輝度のバラツキが小さい。
【００２２】
また、本発明は、ストライプ状に形成された第一電極と、前記第一電極と直交する方向のストライプ状に形成された第二電極と、前記第一電極と前記第二電極の間に形成された有機層と、前記第一電極に平行な直線形状に形成された陰極端子と、前記陰極端子と前記第二電極を電気的に接続させるコンタクトホールを有する絶縁層と、を有する積層体を基板に積層形成してなるものであり、各陰極端子の電気抵抗値の差が小さいため、各発光部の発光輝度のバラツキが小さい。
【００２３】
また、本発明は、前記陰極端子と前記第一電極は、同じ材料からなるものであり、陰極端子を透明電極と同時に形成することが可能である。
【図面の簡単な説明】
【図１】本発明の第一実施形態を示す正面図。
【図２】同上実施形態を示す断面図。
【図３】同上実施形態を示す断面図。
【図４】同上実施形態を示す有機層の拡大断面図。
【図５】本発明の第二実施形態を示す正面図。
【図６】従来例を示す断面図。
【図７】他の従来例を示す正面図。
【符号の説明】
３１  有機ＥＬパネル
３２  基板
３４  第一電極
３５  絶縁層
３５ａ〜３５ｄ  コンタクトホール
３６  有機層
３７ａ〜３７ｄ  第二電極
３９  有機ＥＬ素子
４０ａ〜４０ｄ  陰極端子
４１  有機ＥＬパネル
４５  絶縁層
４５ａ〜４５ｄ  コンタクトホール
【図１】
2004355936.tif 000003
【図２】
2004355936.tif 000004
【図３】
2004355936.tif 000005
【図４】
2004355936.tif 000006
【図５】
2004355936.tif 000007
【図６】
2004355936.tif 000008
【図７】
2004355936.tif 000009